(57)【要約】【課題】フラットパネル型表示装置から発生する熱を効率的に放散させることが可能な表示装置を提供する。【解決手段】装置ボックス２内において、液晶表示装置１の液晶パネル１３と、透明板２３とが密着せず、両者の間に間隙（前面風路ＡＣ１）が存在するように液晶表示装置１が配設されている。また、液晶表示装置１の液晶パネル１３とは反対側の背面と、それに対面する装置ボックス２の壁面との間にも間隙（背面風路ＡＣ２）が存在するように液晶表示装置１が配設されており、前面風路ＡＣ１の下側の開口部の近傍には前面風路ＡＣ１内に気流を発生させる手段であるファンＦ１が配設され、前面風路ＡＣ１内に下側から空気を送り込む構成となっている。【選択図】図１
2006163217.tif 000002
【特許請求の範囲】
【請求項１】
フラットパネル型表示装置を用いた屋外用表示装置であって、
前記フラットパネル型表示装置は装置ボックス内に収納され、
前記装置ボックスは、
前記フラットパネル型表示装置の表示パネルと対面する壁面にはめ込まれた透明板と、
少なくとも前記透明板と前記表示パネルとの間に設けられた間隙である前面風路に気流を発生させる気流発生手段と、を備える、屋外用表示装置。
【請求項２】
前記装置ボックスは、
前記透明板がはめ込まれた側の側面の前記透明板の上部側に庇状の突出部を有する、請求項１記載の屋外用表示装置。
【請求項３】
前記装置ボックスは、
前記透明板がはめ込まれた側の側面が、前記透明板の周囲が外側に突出して全体的に凹形状をなす、請求項２記載の屋外用表示装置。
【請求項４】
前記装置ボックスは、
前記突出部の下面に設けられた第１の開口部と、
前記装置ボックスの底面に設けられた第２の開口部と、
前記フラットパネル型表示装置の前記表示パネルが設けられた側とは反対側の背面と、それに対面する前記装置ボックスの壁面との間に設けられた間隙である背面風路と、をさらに備える、請求項２記載の屋外用表示装置。
【請求項５】
前記気流発生手段は、
前記前面風路の下側の開口部の近傍に配設され、前記前面風路内に下側から空気を送り込むことで上昇気流を発生させるファンを含む、請求項４記載の屋外用表示装置。
【請求項６】
前記気流発生手段は、
前記前面風路の上側の開口部の近傍に配設され、前記前面風路内に上側から空気を送り込むことで下降気流を発生させる第１のファンと、
前記背面風路の上側の開口部の近傍に配設され、前記背面風路内に上側から空気を送り込むことで下降気流を発生させる第２のファンとを含む、請求項４記載の屋外用表示装置。
【請求項７】
前記気流発生手段は、
前記第２の開口部の近傍に配設され、前記第２の開口部から前記装置ボックス外部に空気を強制的に排出することで、前記前面風路内および前記背面風路内に下降気流を発生させるファンを含む、請求項４記載の屋外用表示装置。
【請求項８】
前記気流発生手段は、
前記第１の開口部の近傍に配設され、前記第１の開口部から前記装置ボックス内に空気を強制的に取り込むことで、前記前面風路内および前記背面風路内に下降気流を発生させるファンを含む、請求項４記載の屋外用表示装置。
【請求項９】
前記気流発生手段は、
前記前面風路の下側の開口部の近傍に配設され、前記前面風路内の空気を前記下側の開口部から強制的に排出することで前記前面風路内に下降気流を発生させるファンを含む、請求項４記載の屋外用表示装置。
【請求項１０】
前記装置ボックスは、
前記フラットパネル型表示装置の前記表示パネルが設けられた側とは反対側の背面と、それに対面する前記装置ボックスの壁面との間に設けられた間隙である背面風路と、
前記装置ボックスの底面の中央部よりも前記前面風路寄りの位置に設けられた第１の開口部と、
前記背面風路寄りの位置に設けられた第２の開口部と、
前記第１および第２の開口部との間の前記底面から垂直上方に延在し、前記フラットパネル型表示装置の底面に達する隔壁と、をさらに備え、
前記気流発生手段は、
前記前面風路の下側の開口部の近傍に配設され、前記前面風路内に下側から空気を送り込むことで上昇気流を発生させるファンを含む、請求項１記載の屋外用表示装置。
【請求項１１】
前記装置ボックスは、
前記突出部が設けられた側とは反対側の側面の、前記突出部と対応する位置において外側に突出する庇状の背面突出部と、
前記背面突出部の下面に設けられた第１の開口部と、
前記装置ボックスの底面に設けられた第２の開口部と、をさらに備え、
前記気流発生手段は、
前記前面風路の下側の開口部の近傍に配設され、前記前面風路内に下側から空気を送り込むことで上昇気流を発生させるファンを含む、請求項２記載の屋外用表示装置。
【請求項１２】
前記フラットパネル型表示装置は液晶表示装置を含み、
前記液晶表示装置は、
前記表示パネルに相当する液晶パネルと、
前記液晶パネルの裏面に対向して設置されたバックライトと、
前記バックライトを収納する筐体とを有する、請求項１記載の屋外用表示装置。
【請求項１３】
前記装置ボックスは、前記液晶表示装置の前記液晶パネルを加熱するパネル前面予熱用ヒータと、
前記液晶パネルの温度を測定する温度測定手段と、をさらに備え、
前記温度測定手段での測定結果に基づいて、前記気流発生手段および前記パネル前面予熱用ヒータを制御して、前記液晶パネルの温度を制御する、請求項１２記載の屋外用表示装置。
【請求項１４】
前記パネル前面予熱用ヒータは、
前記前面風路の上側の開口部の近傍に配設され、
前記気流発生手段は、前記前面風路を挟んで前記パネル前面予熱用ヒータとは反対側に配設され、前記前面風路内の空気を前記前面風路の下側の開口部から排出することで前記前面風路内に下降気流を発生させるファンを含む、請求項１３記載の屋外用表示装置。
【請求項１５】
前記装置ボックスは、
前記液晶表示装置の前記筐体を加熱する筐体予熱用ヒータをさらに備える、請求項１３記載の屋外用表示装置。
【請求項１６】
前記表示パネルの前面および前記透明板の前記表示パネルと対面する面に配設した光触媒薄膜をさらに備える、請求項１記載の屋外用表示装置。
【発明の詳細な説明】
【技術分野】
【０００１】
本発明は表示装置に関し、特に表示部にフラットパネル型表示装置を用いた屋外用表示装置に関する。
【背景技術】
【０００２】
従来の広告媒体としては、ポスターやステッカーなどの印刷物が挙げられるが、それ自体は表示内容が変化しないので必ずしも人目を引くものではなかった。また、電球や発光ダイオードなどの発光素子を点灯または点滅させて人目を引く方法もあるが、消費電力が大きいという問題がある。
【０００３】
そこで考案されたものが、広告媒体として液晶表示装置を使用する方法である。液晶表示装置であれば表示内容を任意に変更でき、人目を引くという要求に応えることができる。
【０００４】
その一例として、特許文献１に開示される液晶広告媒体が挙げられる。
特許文献１では、スタティック駆動により中間色を表示しないＯＮ／ＯＦＦ駆動により制御したプラスチック液晶表示パネルと、印刷により描いた図柄層とを組み合わせてポップアップ表示を可能とした液晶広告媒体が提案されている。
【０００５】
【特許文献１】特開平８−１５６６５号公報（図１）
【発明の開示】
【発明が解決しようとする課題】
【０００６】
従来の液晶広告媒体は以上のように構成されているので、装置を屋外の路上等に設置した場合、液晶面を通行人などに触られ、液晶パネルが破損する可能性があり、液晶パネルに直接触れられないように、液晶パネル前面に透明な板を設置すると、透明な板により液晶パネル前面からの放熱が抑制され、液晶パネルの温度が上昇して正常に機能しなくなるという問題があった。
【０００７】
また、屋外で使用するためには、液晶表示装置を何らかの筐体で囲って、雨水や塵埃が液晶表示装置に直接に及ばないようにする必要があるが、その場合、液晶表示装置から発する熱を効率的に放散させることが難しいという問題があった。
【０００８】
そして、このような問題は液晶表示装置に限らず、プラズマ表示装置などのいわゆるフラットパネル型表示装置を屋外用表示装置に使用する場合に共通する問題であった。
【０００９】
本発明は上記のような問題点を解消するためになされたもので、フラットパネル型表示装置から発生する熱を効率的に放散させることが可能な表示装置を提供することを目的とする。
【課題を解決するための手段】
【００１０】
本発明に係る請求項１記載の屋外用表示装置は、フラットパネル型表示装置を用いた屋外用表示装置であって、前記フラットパネル型表示装置は装置ボックス内に収納され、前記装置ボックスは、前記フラットパネル型表示装置の表示パネルと対面する壁面にはめ込まれた透明板と、少なくとも前記透明板と前記表示パネルとの間に設けられた間隙である前面風路に気流を発生させる気流発生手段とを備えている。
【発明の効果】
【００１１】
本発明に係る請求項１記載の屋外用表示装置によれば、気流発生手段により透明板と表示パネルとの間に設けられた間隙である前面風路に気流を発生させるので、気流により表示パネルが冷却されて表示パネルの温度上昇を大幅に抑制できる。
【発明を実施するための最良の形態】
【００１２】
＜Ａ．実施の形態１＞
＜Ａ−１．装置構成＞
本発明に係る実施の形態１として、液晶表示装置を使用する屋外用表示装置１００の構成を図１を用いて説明する。
【００１３】
図１に示すように、屋外用表示装置１００は、液晶表示装置１と、それを収納する装置ボックス２と、装置ボックス２を支える脚部３とに大別される。
【００１４】
なお、図１においては脚部３がキャスター３１などの移動手段を備え、屋外用表示装置１００の水平移動が容易な構成としたが、移動手段は必須のものではない。
【００１５】
液晶表示装置１は、液晶パネル１３（表示パネル）と、そのバックライト（例えば蛍光灯）１２と、バックライト１２を収納するとともに、液晶パネル１３の駆動回路等を収納する筐体１１とを備え、バックライト１２から発する光ＬＢが液晶パネル１３を部分的に透過あるいは遮られることで、液晶パネル１３に所望の画像が表示される。なお、以下の説明においては液晶パネル１３に表示される画像の下方向を下側、画像の上方向を上側として扱う。
【００１６】
液晶パネル１３の縦横の長さの比率は、いわゆるテレビ受像機に使用される縦横比率に限定されるものではなく、例えばパーソナルコンピュータのディスプレイの縦横比率や、あるいは正方形であっても良い。また、縦長の形状でも良い。
【００１７】
そして、装置ボックス２の液晶パネル１３と対面する壁面には、例えばポリカーボネートの透明板２３がはめ込まれ、液晶パネル１３に表示される画像は、透明板２３を通して外部から視認することができる。透明板２３の平面的な大きさは液晶パネル１３と同程度であることは言うまでもない。なお、透明板２３が設けられた側の側面を窓側面２１と呼称する。なお、簡単な試験を行った結果、ポリカーボネート板の板厚としては、３ｍｍ以上１０ｍｍ以下が、視認性、耐衝撃性の観点から望ましいことが判った。
【００１８】
ここで、ポリカーボネート板を使用するのは、透明性もさることながら、液晶パネル１３の保護のための耐衝撃性と、液晶パネル１３の劣化防止のための紫外線遮蔽能力において高い能力を有しているためである。従って、同等の性能を有する材質であればポリカーボネート板に限定されるものではなく、また、ポリカーボネート板と同等の耐衝撃性を有する透明な材料に、紫外線遮蔽膜を貼付した構成を採用しても良い。なお、ポリカーボネート板に代わる材料としては、例えばアクリル板を使用することが考えられ、紫外線遮蔽膜としては市販されているものを使用すれば良い。
【００１９】
装置ボックス２は、液晶表示装置１を取り囲み、液晶表示装置１が雨水や塵埃に直接曝されることを防止する構成となっている。しかし、液晶表示装置１が装置ボックス２内に完全に密閉されると、液晶表示装置１から発する熱が装置ボックス２内にこもるので、通風口を設けることになる。図１の例では、通風口として、開口部ＯＰ１（第１の開口部）およびＯＰ２（第２の開口部）を設けている。
【００２０】
ここで、装置ボックス２内においては、液晶表示装置１の液晶パネル１３と、透明板２３とが密着せず、両者の間に間隙が存在するように液晶表示装置１が配設されており、当該間隙を前面風路ＡＣ１と呼称する。
【００２１】
また、液晶表示装置１の液晶パネル１３とは反対側の側面（背面）と、それに対面する装置ボックス２の壁面との間にも間隙が存在するように液晶表示装置１が配設されており、当該間隙を背面風路ＡＣ２と呼称する。なお、液晶表示装置１の背面には空冷フィンＦＮが配設されている。空冷フィンＦＮは、図１に示すように液晶表示装置１の背面に複数個配設しても良いが、背面と同等の面積のものを１個だけ配設するようにしても良い。
【００２２】
前面風路ＡＣ１の下側の開口部の近傍には前面風路ＡＣ１内に気流を発生させる手段であるファンＦ１が配設され、前面風路ＡＣ１内に下側から空気を送り込む構成となっている。なお、ファンＦ１は１つに限定されるものではなく、前面風路ＡＣ１の下側の開口部に沿って複数個並列に配設しても良い。また、液晶表示装置１の上方にはファンＦ２が配設され、開口部ＯＰ１からの空気の流入を促進する構成となっている。なお、ファンＦ２は１つに限定されるものではなく、液晶表示装置１の水平延在方向に沿って複数個並列に配設しても良い。また、ファンＦ２を有さずとも開口部ＯＰ１からの空気の流入が充分得られる場合にはファンＦ２を配設せずとも良い。
【００２３】
ここで、装置ボックス２の窓側面２１は、透明板２３の周囲が外側に突出し、全体的に凹形状となっており、開口部ＯＰ１は、透明板２３の上部側にある庇状の突出部２２１の下面に設けられているので、通常の状態では雨水等が侵入することが防止される構成となっている。また、開口部ＯＰ２は装置ボックス２の底面部に設けられており、開口部ＯＰ１と同様に、通常の状態では雨水等が侵入することが防止される構成となっている。
【００２４】
ここで、突出部２２１は、液晶パネル１３に日光が差し込み、視認性を低下させるのを防止するための庇としての機能も備えている。庇の長さに関して視認性の確認試験を実施した結果、突出部２２１の突出長さをＡとし、突出部２２１と透明板２３の下部側の突出部２２２との間の長さをＢとした場合、Ａ：Ｂ＝１：３〜１：５の範囲に設定することで、ほとんどの条件で視認性を確保できることが判明した。
【００２５】
なお、以上の説明では、装置ボックス２の窓側面２１の透明板２３の周囲が外側に突出し、全体的に凹形状となっているものとして説明したが、突出部２２１に相当する庇状の突出部のみを透明板２３の上側に設ける構成としても良い。この場合も上記と同様の効果を得られることは言うまでもない。
【００２６】
＜Ａ−２．冷却動作＞
次に、図１を参照しつつ、図２を用いて屋外用表示装置１００における液晶表示装置１の冷却動作について説明する。
図１に示すように、バックライト１２（複数の場合もある）から出た光ＬＢは、直接、もしくは、筐体１１の内側に設けられた鏡（図示せず）、もしくは乱反射板（図示せず）によって反射され、液晶パネル１３に照射される。照射された光ＬＢは、液晶パネル１３を部分的に透過あるいは遮られることで画像を形成する。
【００２７】
このように、液晶パネル１３の裏面に対向するようにバックライト１２を配設し、鏡や乱反射板で光を反射させる構成を採ることで、液晶パネル１３の表示画像を明るくすることができ、屋外での表示に適した表示装置が得られる。
【００２８】
液晶パネル１３は、バックライト１２（例えば蛍光灯）が発する熱によって加熱される。通常の液晶ディスプレイでは、液晶パネルへの入熱を液晶パネルの熱伝導により筐体に逃がし、液晶パネルの過熱を抑制している。しかし、屋外用表示装置１００では、明るい屋外での使用に供するので、表示の視認性を上げるために蛍光灯の輝度を上げることになるが、その場合、蛍光灯からの入熱が増え、液晶パネル１３の動作可能温度を超えてしまう可能性がある。
【００２９】
そこで、液晶パネル１３と透明板２３との間に間隙を設けて前面風路ＡＣ１とし、ファンＦ１によって前面風路ＡＣ１に空気を送り込むことで液晶パネル１３の前面を冷却する構成を採っている。
【００３０】
ファンＦ１は、前面風路ＡＣ１内に下側から空気を送り込むように回転し、送り込まれた空気は上昇気流となって前面風路ＡＣ１の上側の開口部から排出され、開口部ＯＰ１から流入する新たな空気と混じって冷却され、背面風路ＡＣ２を通って再びファンＦ１によって前面風路ＡＣ１に送り込まれる。図１には空気の流れを矢印によって示している。
【００３１】
このように、装置ボックス２内では空気の循環経路が形成されるが、開口部ＯＰ１からの流入分に相当する空気が開口部ＯＰ２から外部に排出され、装置ボックス２内の気圧が過剰に高まることが防止される。従って、開口部ＯＰ１は空気取り入れ口となり、開口部ＯＰ２は空気排出口となる。
【００３２】
なお、背面風路ＡＣ２にも気流が生じるので、液晶表示装置１の背面に設けられた空冷フィンＦＮの冷却能力が高まり、筐体１１も効率的に冷却することができる。筐体１１が効率的に冷却されれば、液晶パネル１３の裏面（バックライト１２側の面）で発生した熱が筐体１１に流れやすくなり、液晶パネル１３の温度上昇の抑制につながる。
【００３３】
＜Ａ−３．効果＞
以上説明した構成を採ることで、以下に説明するように液晶パネル１３の温度上昇を大幅に抑制できる。
【００３４】
図２は液晶パネル１３の表面の温度上昇特性を示す図であり、横軸に測定ステップ（一定時間間隔）を、縦軸に温度（℃）を表し、液晶パネル１３の前面を冷却した場合のパネル表面での温度上昇特性をＣ１、前面を冷却しない場合のパネル表面での温度上昇特性をＣ２とし、また、装置ボックス２内での温度特性をＣ０として表している。
【００３５】
図２に示されるように、冷却を行わない場合は液晶パネル１３の温度（パネル温度）が最大で６５℃程度となり、冷却を行った場合には、最大でも５５℃程度に抑えられる。従って、前面風路ＡＣ１を設けてパネル前面を冷却することで、パネル温度を１０℃以上低くできることが判る。
【００３６】
なお、屋外用表示装置１００では、ファンＦ１を前面風路ＡＣ１の下側の開口部の近傍に設けているので、液晶パネル１３前面の冷却効率が高く、風速を調整することで冷却能力をセンシティブに調整することができる。
【００３７】
ここで、液晶パネル１３の裏面に風を吹き付けたり、バックライト１２に風を吹き付けるなどの直接空冷を採用しないのは、直接空冷を行うとバックライト１２などに誘起される静電気により、空気中の塵埃が蛍光灯に吸着しやすくなり、バックライト１２の照度を短時間で低下させてバックライト１２の寿命が短くなるためである。このため、バックライト１２や液晶パネル１３の駆動回路等の電子機器を筐体１１内に収納し、筐体１１には隙間がないようにパッキンや充填材などで密閉することが望ましい。
【００３８】
また、屋外用表示装置１００の転倒などによる衝撃を緩和するため、液晶表示装置１の筐体１１と装置ボックス２の内壁との間に緩衝材を挟み込んだ支持構造を採ることが望ましい。
【００３９】
また、信頼性向上のため、空気取り入れ口にあたる開口部ＯＰ１にはフィルタを設け、塵埃が装置内に侵入するのを防止する。この際、メンテナンス性を確保するため、装置ボックス２の上面や背面（窓側面２１とは反対側の面）を取り外し可能な構造とし、フィルタ清掃が容易な構造とすることが望ましい。
【００４０】
また、透明板２３と装置ボックス２との接続部分には、パッキン等の密閉部材を配設し、隙間からの雨水や塵埃の侵入を防止することは言うまでもない。
【００４１】
＜Ａ−４．変形例１＞
図１に示した屋外用表示装置１００では、ファンＦ１を前面風路ＡＣ１の下側の開口部の近傍に設けた構成を採っていたが、図３に示す屋外用表示装置１００Ａのような構成としても良い。なお、図３においては、図１に示した屋外用表示装置１００と同一の構成については同一の符号を付し、重複する説明は省略する。
【００４２】
図３に示すように、屋外用表示装置１００Ａにおいては、前面風路ＡＣ１の上側の開口部の近傍にファンＦ１１（第１のファン）を配設し、背面風路ＡＣ２の上側の開口部の近傍にファンＦ１２（第２のファン）を配設している。
【００４３】
このように配設されたファンＦ１１およびＦ１２を使用することで、開口部ＯＰ１から流入する空気は、ファンＦ１１によって前面風路ＡＣ１に送り込まれるとともに、ファンＦ１２によって背面風路ＡＣ２にも送り込まれる。そして、送り込まれた空気は、下降気流となって前面風路ＡＣ１および背面風路ＡＣ２のそれぞれの下側の開口部から排出され、装置ボックス２の底面の開口部ＯＰ２から外部に排出される。
【００４４】
ここで、ファンＦ１１は主として液晶パネル１３の前面を冷却するので液晶パネル冷却ファンと呼称することができ、ファンＦ１２は筐体１１を冷却するので筐体冷却ファンと呼称することができる。
【００４５】
このように、ファンＦ１１およびファンＦ１２を備えることで、装置ボックス２内で空気を循環させず前面風路ＡＣ１および背面風路ＡＣ２にそれぞれ独立して空気を送り込むことができるので、液晶パネル１３の前面および筐体１１を、共に流速の速い外気で冷却でき、液晶パネル１３の冷却効率をさらに高めることができる。
【００４６】
＜Ａ−５．変形例２＞
以上説明した屋外用表示装置１００Ａにおいては、装置ボックス２内で空気を循環させることなく、前面風路ＡＣ１および背面風路ＡＣ２にそれぞれ独立して空気を送り込む構成としたが、これを実現するには、図４に示す屋外用表示装置１００Ｂあるいは、図５に示す屋外用表示装置１００Ｃのような構成としても良い。なお、図４および図５においては、図１に示した屋外用表示装置１００と同一の構成については同一の符号を付し、重複する説明は省略する。
【００４７】
図４に示す屋外用表示装置１００Ｂにおいては、装置ボックス２の底面の開口部ＯＰ２の近傍に気流発生手段であるファンＦ２１が配設され、装置ボックス２内の空気を開口部ＯＰ２から強制的に排出するようにファンＦ２１を回転させることで、開口部ＯＰ１から流入する空気は、前面風路ＡＣ１および背面風路ＡＣ２を通るように分かれ、それぞれ下降気流となって前面風路ＡＣ１および背面風路ＡＣ２を通過した空気は、ファンＦ２１によって外部に排出される。
【００４８】
このような構成を採ることによっても、液晶パネル１３の前面および筐体１１を、共に外気で冷却でき、液晶パネル１３の冷却効率を高めることができる。
【００４９】
また、図５に示す屋外用表示装置１００Ｃにおいては、装置ボックス２の突出部２２１に設けられた開口部ＯＰ１の近傍に気流発生手段であるファンＦ３１が配設され、装置ボックス２内に外気を強制的に取り込むようにファンＦ３１を回転させることで、開口部ＯＰ１から流入する空気は、前面風路ＡＣ１および背面風路ＡＣ２を通るように分かれ、それぞれ下降気流となって前面風路ＡＣ１および背面風路ＡＣ２を通過した空気は、装置ボックス２の底面の開口部ＯＰ２から外部に排出される。
【００５０】
このような構成を採ることによっても、液晶パネル１３の前面および筐体１１を、共に外気で冷却でき、液晶パネル１３の冷却効率を高めることができる。
【００５１】
＜Ａ−６．変形例３＞
以上説明した実施の形態１および変形例１、２では、液晶パネル１３の裏面の冷却は、液晶パネル１３で発生する熱を筐体１１に熱伝導させて、筐体１１を空冷することにより冷却する間接冷却を使用していたが、図６に示す屋外用表示装置１００Ｄのような構成としても良い。なお、図６においては、図１に示した屋外用表示装置１００と同一の構成については同一の符号を付し、重複する説明は省略する。
【００５２】
図６に示す屋外用表示装置１００Ｄにおいては、液晶表示装置１Ａが、その内部に冷却用の空気を送り込むための構成を有している。
【００５３】
すなわち、液晶表示装置１Ａの筐体１１Ａは、その上面に開口部ＯＰ１１を有し、底面に開口部ＯＰ１２を有している。そして、開口部ＯＰ１１はＨＥＰＡ（high efficiency particulate air）フィルタ等のμｍ単位の塵埃を除去可能な高性能なフィルタＨＦＬで覆われ、開口部ＯＰ１２の近傍にはファンＦ４２が配設されている。そして、前面風路ＡＣ１の下側の開口部の近傍には気流発生手段としてファンＦ４１が配設されている。
【００５４】
ファンＦ４１は、前面風路ＡＣ１内の空気を下側の開口部から強制的に排出するように回転し、排出された空気は、装置ボックス２の底面の開口部ＯＰ２から外部に排出されるが、ファンＦ４１の回転によって開口部ＯＰ１から流入する新たな空気は、前面風路ＡＣ１内に流入するとともに、ファンＦ４２の回転によってフィルタＨＦＬを通して筐体１１Ａ内にも流入し、液晶パネル１３の裏面およびバックライト１２を直接に冷却する。そして、ファンＦ４２によって筐体１１Ａ外に強制的に排出され、さらに開口部ＯＰ２から外部に排出される。
【００５５】
このように、液晶パネル１３の裏面およびバックライト１２を直接に空冷する構成を採ることで、液晶パネル１３の冷却効率をさらに高めることができる。
【００５６】
なお、筐体１１Ａ内に導かれる空気は、高性能なフィルタＨＦＬを通しているので、空気中の塵埃が除去され、バックライト１２の寿命の低下を抑制することができる。
【００５７】
なお、図６においては、液晶表示装置１Ａの背面には冷却フィンは配設せず、また、背面風路ＡＣ２には開口部ＯＰ１から直接空気が流入しないように装置ボックス２内に隔壁ＰＷ１が設けられた構成を示しているが、隔壁ＰＷ１を設けない構成であっても良いし、液晶表示装置１Ａの背面に冷却フィンを配設していても良い。
【００５８】
＜Ａ−７．変形例４＞
以上説明した実施の形態１および変形例１〜３では、空気取り入れ口を装置ボックス２の突出部２２１に設け、空気排出口を装置ボックス２の底面に設けた構成を示したが、空気取り入れ口の配設位置はこれに限定されるものではなく、装置ボックス２の側面、背面あるいは底面に設けても良い。
【００５９】
このような構成としては、図７に示す屋外用表示装置１００Ｅあるいは、図８に示す屋外用表示装置１００Ｆのような構成が考えられる。なお、図７および図８においては、図１に示した屋外用表示装置１００と同一の構成については同一の符号を付し、重複する説明は省略する。
【００６０】
図７に示す屋外用表示装置１００Ｅにおいては、装置ボックス２の底面の中央部よりも前面風路ＡＣ１寄りの位置に開口部ＯＰ３（第１の開口部）が設けられ、背面風路ＡＣ２寄りの位置に開口部ＯＰ４（第２の開口部）が設けられている。そして、開口部ＯＰ３とＯＰ４との間には、装置ボックス２の底面から垂直上方に延在し、液晶表示装置１の底面に達する隔壁ＰＷ２が設けられている。そして、前面風路ＡＣ１の下側の開口部の近傍にはファンＦ１が配設されている。
【００６１】
ファンＦ１は、前面風路ＡＣ１内に下側から空気を送り込むように回転し、送り込まれた空気は、前面風路ＡＣ１の上側の開口部から排出され、背面風路ＡＣ２を通って開口部ＯＰ４から排出される。
【００６２】
ファンＦ１の回転によって開口部ＯＰ３から新しい外気が流入するが、当該外気は隔壁ＰＷ２の存在により直接に背面風路ＡＣ２に供給されることはなく、まず、前面風路ＡＣ１に送り込まれて、液晶パネル１３の前面を冷却することになる。
【００６３】
このような構成を採ることで、新しい外気はまず液晶パネル１３の前面のみを冷却するので、晶パネル１３の前面の冷却効率を高めることができる。
【００６４】
また、この構成では装置ボックス２の底面に設けた開口部ＯＰ３が空気取り入れ口となり、空気取り入れ口の配設位置の自由度が増え、装置デザインの変更が容易になるという利点がある。
【００６５】
図８に示す屋外用表示装置１００Ｆにおいては、装置ボックス２の窓側面２１とは反対側面であるボックス背面２４の上部が庇状に突出した背面突出部２２３を有し、突出部２２１の下面に開口部ＯＰ５（第１の開口部）が設けられている。従って、開口部ＯＰ５は、通常の状態では雨水等が侵入することが防止される構成となっている。そして、前面風路ＡＣ１の下側の開口部の近傍にはファンＦ１が配設されている。
【００６６】
ファンＦ１は、前面風路ＡＣ１内に下側から空気を送り込むように回転し、送り込まれた空気は、前面風路ＡＣ１の上側の開口部から排出され、開口部ＯＰ５から流入する新たな空気と混じって冷却され、背面風路ＡＣ２を通って再びファンＦ１によって前面風路ＡＣ１に送り込まれる。
【００６７】
このように、空気取り入れ口となる開口部ＯＰ５を、装置ボックス２の窓側面２１とは反対側のボックス背面２４に設けることで、装置ボックス２の窓側面２１のデザインの変更が容易になるという利点がある。
【００６８】
なお、前面風路および背面風路を備える構成であれば、実施の形態１および変形例１〜４で示した、空気取り入れ口、空気排出口、およびファンの配置の組み合わせ以外でも、液晶表示装置の冷却を効率的に行うことは可能であることは言うまでもない。
【００６９】
＜Ｂ．実施の形態２＞
＜Ｂ−１．装置構成＞
本発明に係る実施の形態２として、液晶表示装置を使用する屋外用表示装置２００の構成を図９を用いて説明する。なお、図９においては、図１に示した屋外用表示装置１００と同一の構成については同一の符号を付し、重複する説明は省略する。
【００７０】
図１〜図８を用いて説明した本発明に係る実施の形態１およびその変形例の屋外用表示装置においては、温度上昇を抑制するために液晶パネルを冷却するという観点に立った構成を説明したが、液晶パネルの動作温度を適正に保ち、かつ電力消費を低減するという観点に立てば、冷却だけでなく、加熱も必要となる場合がある。
【００７１】
図９に示す屋外用表示装置２００においては、前面風路ＡＣ１の上側の開口部の近傍には液晶パネル前面予熱用ヒータＨ１が配設され、液晶表示装置１の背面には、筐体予熱用ヒータＨ２が配設されている。そして、液晶パネル１３の裏面には温度センサＴＳ（温度測定手段）が取り付けられている。なお、液晶パネル前面予熱用ヒータＨ１は、前面風路ＡＣ１の上側の開口部に沿って長く延在する構成でも良いし、当該開口部に沿って複数個並列に配設する構成でも良いが、気流が速度を減殺されることなく通過できるような構成とする。
【００７２】
また、前面風路ＡＣ１の下側の開口部の近傍にはファンＦ７１が配設され、装置ボックス２の底面の開口部ＯＰ２の近傍にはファンＦ７２が配設されている。
【００７３】
なお、液晶パネル前面予熱用ヒータＨ１、筐体予熱用ヒータＨ２、温度センサＴＳ、ファンＦ７１およびＦ７２は液晶パネル温度制御基板ＴＣによって制御される。液晶パネル温度制御基板ＴＣと、被制御機器との接続関係を図１０に示す。
【００７４】
＜Ｂ−２．温度制御動作＞
次に、図９を参照しつつ、図１１〜図１３を用いて屋外用表示装置２００における液晶表示装置１の温度制御動作について説明する。
液晶パネル１３の裏面に取り付けられた温度センサＴＳを用いて測定した液晶パネル１３の温度に関する情報が液晶パネル温度制御基板ＴＣに与えられると、液晶パネル温度制御基板ＴＣは、予め設定した温度になるようにファンＦ７１、Ｆ７２およびヒータＨ１、Ｈ２を制御する。
【００７５】
ファンＦ７１は、液晶パネル１３の冷却時に、下から上の気流を作るために使用されるので、冷却時に液晶パネル前面予熱用ヒータＨ１が気流の妨げにならず、液晶パネル前面予熱用ヒータＨ１を設けても冷却効率が下がらない。また、ファンＦ７２は、前面予熱用ヒータＨ１を使用する際に動作し、液晶パネル１３の加熱時に上から下の気流を作るように回転する。
【００７６】
＜Ｂ−２−１．ファンのＯＮ／ＯＦＦ制御による温度制御＞
まず、ファンのＯＮ／ＯＦＦ制御による温度制御について説明する。
図１１は、ファンＦ７１のＯＮ／ＯＦＦ制御によりパネル温度を制御する場合の温度変化を表す特性図である。
【００７７】
図１１においては、横軸に時間を、縦軸に温度を示しており、ファンＦ７１のＯＮ、ＯＦＦ期間と、それぞれの期間での液晶パネル１３の温度（パネル温度）の変化を表している。また、液晶パネル動作可能温度下限をＴＬ、温度制御設定下限をＴ０、温度制御設定上限をＴ１、液晶パネル動作可能温度上限をＴＨで表している。
【００７８】
液晶表示装置１を起動すると、バックライト１２などからの入熱によりパネル温度が上昇を始める。この段階ではファンＦ７１はＯＦＦしている。
【００７９】
パネル温度は温度センサＴＳによって検出され、液晶パネル温度制御基板ＴＣに温度情報が与えられる。
【００８０】
液晶パネル温度制御基板ＴＣでは、パネル温度が予め定めた温度Ｔ１に達すると、ファンＦ７１を動作（ＯＮ）させる。
【００８１】
ファンＦ７１の動作によりパネル温度が下がり始め、温度Ｔ０まで低下するとファンＦ７１を停止する。ファンＦ７１を停止すると、再びパネル温度が上がり始めるので、温度Ｔ１に達した後はファンＦ７１を動作させる。
【００８２】
このように、ファンＦ７１のＯＮ、ＯＦＦを繰り返すことで、液晶パネル１３の温度変化を予め設定した温度制御領域（Ｔ０〜Ｔ１）に収めることができる。
【００８３】
なお、以上の説明は１台のファンＦ７１をＯＮ／ＯＦＦ制御する場合、あるいは複数のファンＦ７１を同時にＯＮ／ＯＦＦ制御する場合に対応するが、複数のファンＦ７１を使用する場合、各ファンＦ７１において、ＯＮ／ＯＦＦ条件を異なる温度に設定することで、温度変化が、よりなだらかな温度コントロールが可能となる。
【００８４】
例えば、複数のファンＦ７１を、動作条件に応じて第１、第２および第３の３つに分類し、パネル温度が上昇を始め、温度Ｔ０に達した段階で、まず、第１の分類のファンＦ７１を動作させる。第１の分類のファンＦ７１だけではパネル温度を低下させるまでには至らないが、上昇速度は抑えることができる。そして、さらに温度が上昇して温度Ｔ０とＴ１との間に達した場合には、第２の分類のファンＦ７１を動作させる。第２の分類のファンＦ７１の動作により、温度上昇速度がさらに抑えられる。そして、温度Ｔ１に達した段階で、第３の分類のファンＦ７１を動作させる。
【００８５】
第３の分類のファンＦ７１の動作によりパネル温度が低下に転じるが、今度は、温度Ｔ０とＴ１との間に達した場合には、第３の分類のファンＦ７１を停止し、温度Ｔ０に達した段階で第１および第３の分類のファンＦ７１を停止する。
【００８６】
なお、複数のファンＦ７１の分類は３つに限定されるものではなく、また、ＯＮ／ＯＦＦ条件も上記に限定されるものではない。
【００８７】
また、上述した段階的制御を行うには、複数のファンＦ７１が前面風路ＡＣ１に直接に空気を送り込む構成よりも、前面風路ＡＣ１の手前に空気溜まりを設け、まず、そこに複数のファンＦ７１が空気を送り込む構成とすることが望ましい。このような構成を採ることで、１台のファンＦ７１から空気を送り込む場合でも、前面風路ＡＣ１全体に均等に空気を送り込むことができる。
【００８８】
＜Ｂ−２−２．ファンのインバータ制御による温度制御＞
次に、ファンのインバータ制御による温度制御について説明する。
図１２は、ファンＦ７１のインバータ制御によりパネル温度を制御する場合の温度変化を表す特性図である。
【００８９】
図１２においては、ファンの回転制御に使用するインバータの周波数変化をパネル温度変化に併記しており、縦軸には温度およびインバータの周波数を示している。なお、各温度の定義については図１１と同じである。
【００９０】
液晶表示装置１を起動してパネル温度が上昇を始め、パネル温度が予め定めた温度Ｔ０に達すると、ファンＦ７１を起動するが、その時点での制御インバータの周波数は低く、ファンＦ７１の回転数も低い。
【００９１】
制御インバータの周波数はパネル温度の上昇に伴って増加し、ファンＦ７１の回転数も高くなって冷却効率が高まる。そして、パネル温度が一定になると制御インバータの周波数も一定となる。
【００９２】
このように、ファンＦ７１の回転数をインバータにより制御することで、パネル温度の変化をなだらかに制御することができ、また、パネル温度を一定に保った状態を維持することが可能となる。
【００９３】
＜Ｂ−２−３．ヒータを用いた温度制御＞
次に、ヒータを用いた温度制御について説明する。
屋外では液晶表示装置１を使用していない状態では、液晶パネル１３の温度は戸外温度と同じ程度になり、寒冷地では、動作可能温度下限よりも低くなる可能性がある。
【００９４】
その場合、液晶パネル１３の温度はバックライト１２からの入熱だけでも、時間をかけることで温度制御設定下限Ｔ０に近づくが、パネル前面予熱用ヒータＨ１および筐体予熱用ヒータＨ２を使用することで、パネル温度が温度制御設定下限Ｔ０と温度制御設定上限Ｔ１との間の領域として規定される温度制御領域に到達するまでの時間を短縮することができる。
【００９５】
図１３は、パネル前面予熱用ヒータＨ１を使用してパネル温度を制御する場合の温度変化を表す特性図である。
【００９６】
図１３においては、横軸に時間を、縦軸に温度を示しており、パネル前面予熱用ヒータＨ１のＯＮ、ＯＦＦ期間と、それぞれの期間での液晶パネル１３の温度（パネル温度）の変化を「ヒータあり」の特性として表している。また、パネル前面予熱用ヒータＨ１を使用しない場合のパネル温度の変化を「ヒータなし」の特性として表している。なお、各温度の定義については図１１と同じである。
【００９７】
図１３に示すように、液晶表示装置１を使用していない状態では、パネル温度は動作可能温度下限ＴＬよりも低い状態になっているが、液晶表示装置１を起動するとバックライト１２からの入熱によりパネル温度が上昇を始める。
【００９８】
ここで、「ヒータなし」の特性に着目すると、パネル温度が温度Ｔ０に到達するのは時間ｔ１である。一方、液晶表示装置１を起動後、パネル前面予熱用ヒータＨ１をＯＮすると、「ヒータあり」の特性に表されるように、パネル温度の上昇速度が上がり、時間ｔ１よりも短い時間ｔ０で温度Ｔ０に到達する。
【００９９】
温度Ｔ０に到達した後は、バックライト１２からの入熱だけで温度上昇が続くので、パネル前面予熱用ヒータＨ１を停止（ＯＦＦ）する。
【０１００】
このように、パネル前面予熱用ヒータＨ１を用いることでパネル温度が温度制御領域に到達するまでの時間を短縮することができ、パネル温度が短時間で温度制御領域に入ることで、液晶パネルの動作温度が適正に保たれて、液晶パネル１３の動作が安定するまでの時間を短くすることができる。
【０１０１】
なお、上述の説明ではパネル前面予熱用ヒータＨ１だけを使用する場合を説明したが、筐体予熱用ヒータＨ２も併用することで、パネル温度が温度制御領域に入るまでの時間をさらに短縮できる。
【０１０２】
また、パネル温度が温度制御領域に到達した後は、パネル前面予熱用ヒータＨ１および／または筐体予熱用ヒータＨ２を停止するので、消費電力を低減できる。
【０１０３】
なお、上述の説明では、バックライト１２からの入熱だけでも、時間をかけることでパネル温度が温度制御領域に入るものとして説明したが、バックライト１２からの入熱だけでは温度制御領域に到達しない場合は、戸外温度が極めて低いことが考えられるので、その場合は、パネル前面予熱用ヒータＨ１および／または筐体予熱用ヒータＨ２を使用して温度制御領域に到達させた後も、ヒータを停止させずに、パネル温度が温度制御領域で一定になるようにヒータの電力を調整することで対応することができる。
【０１０４】
以上説明したように、パネル温度をモニターし、パネル温度に基づいてファンＦ７１、Ｆ７２、パネル前面予熱用ヒータＨ１および筐体予熱用ヒータＨ２の動作を適宜制御することで、パネル温度を効率的に制御することができ、パネル温度を一定に保つなどして、表示機能を安定させることができ、また、不要な冷却や加熱を排除して消費電力を低減できる。
【０１０５】
＜Ｂ−３．結露防止対策＞
寒冷な環境から、室内などに屋外用表示装置を移動すると、条件によっては液晶パネル１３の前面、もしくは透明板２３の内側表面に結露を生じ、画像の視認性が低下する可能性がある。
【０１０６】
そこで、図１４に示すように、透明板２３の内外表面および液晶パネル１３の前面に表面処理を施すことで、結露による視認性の低下を抑制する構成を採る。
【０１０７】
図１４においては透明板２３および液晶表示装置１だけを抜粋して示しており、透明板２３の外側面には外面被膜２３１が、透明板２３の内側面には内面被膜２３２が配設され、液晶パネル１３の前面には液晶パネル前面被膜１３１が配設されている。
【０１０８】
内面被膜２３２および液晶パネル前面被膜１３１には、酸化チタン膜などの光触媒薄膜や光触媒シートが使用され、光触媒反応により結露による視認性の低下を抑制することができる。
【０１０９】
透明板２３の外側面は、表面の細かな傷による乱反射が視認性を低下させるケースもあるため、外面被膜２３１としては、硬度の高い透明な保護シートを貼付したり、保護膜を塗布し、必要に応じて取り替えることで傷などによる視認性低下を抑制するようにすれば良い。もちろん、光触媒薄膜や光触媒シートを使用しても良く、その場合には雨水の付着などによる視認性の低下を抑制することができる。
【０１１０】
以上の説明では本発明に係る屋外用表示装置を、屋外で使用することを前提として説明したが、屋内で使用しても良く、その場合にも、冷却、防塵、防眩、破損防止などに同様の効果があることは言うまでもない。
【０１１１】
なお、屋内で使用するという観点に立てば、透明板２３の上部側に庇状の突出部２２１を設ける必要はなく、また、屋外で使用する場合も、視認性を多少犠牲にしても良いのであれば突出部２２１を設けずとも良く、窓側面２１が平坦な構造であっても良い。その場合、通風口から雨水や塵埃が侵入しにくいように通風口の配置位置や、形状を工夫すれば良い。
【０１１２】
また、以上の説明では液晶表示装置を使用することを前提として説明したが、プラズマ表示装置を使用する場合にも表示面の温度上昇の可能性があるので、プラズマ表示装置を使用する場合にも本発明は有効である。
【図面の簡単な説明】
【０１１３】
【図１】本発明に係る屋外用表示装置の実施の形態１の構成を説明する断面図である。
【図２】本発明に係る屋外用表示装置の実施の形態１の動作を説明する温度特性図である。
【図３】本発明に係る屋外用表示装置の実施の形態１の変形例１の構成を説明する断面図である。
【図４】本発明に係る屋外用表示装置の実施の形態１の変形例２の構成を説明する断面図である。
【図５】本発明に係る屋外用表示装置の実施の形態１の変形例２の構成を説明する断面図である。
【図６】本発明に係る屋外用表示装置の実施の形態１の変形例３の構成を説明する断面図である。
【図７】本発明に係る屋外用表示装置の実施の形態１の変形例４の構成を説明する断面図である。
【図８】本発明に係る屋外用表示装置の実施の形態１の変形例４の構成を説明する断面図である。
【図９】本発明に係る屋外用表示装置の実施の形態２の構成を説明する断面図である。
【図１０】本発明に係る屋外用表示装置の実施の形態２の構成の制御関係を説明する図である。
【図１１】ファンのＯＮ／ＯＦＦ制御によりパネル温度を制御する場合の温度変化を表す特性図である。
【図１２】ファンのインバータ制御によりパネル温度を制御する場合の温度変化を表す特性図である。
【図１３】加熱によりパネル温度を制御する場合の温度変化を表す特性図である。
【図１４】透明板の内外表面および液晶パネルの前面に表面処理を施した構成を説明する断面図である。
【符号の説明】
【０１１４】
１  液晶表示装置、２  装置ボックス、１１  筐体、１２  バックライト、１３  液晶パネル、２３  透明板、２２１  突出部、２２３  背面突出部、ＡＣ１  前面風路、ＡＣ２  背面風路、ＯＰ１，ＯＰ２，ＯＰ３，ＯＰ４，ＯＰ５  開口部、Ｆ１，Ｆ１１，Ｆ１２，Ｆ２１，Ｆ３１，Ｆ４１，Ｆ４２，Ｆ７１，Ｆ７２  ファン、Ｈ１  パネル前面予熱用ヒータ、Ｈ２  筐体予熱用ヒータ、ＴＳ  温度センサ。
【図１】
2006163217.tif 000003
【図２】
2006163217.tif 000004
【図３】
2006163217.tif 000005
【図４】
2006163217.tif 000006
【図５】
2006163217.tif 000007
【図６】
2006163217.tif 000008
【図７】
2006163217.tif 000009
【図８】
2006163217.tif 000010
【図９】
2006163217.tif 000011
【図１０】
2006163217.tif 000012
【図１１】
2006163217.tif 000013
【図１２】
2006163217.tif 000014
【図１３】
2006163217.tif 000015
【図１４】
2006163217.tif 000016